【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
無線通信システムにおいて、周波数帯域で動作する端末が、下りリンク共通チャネル（DownLink Common CHannel；ＤＬ−ＣＣＨ）を受信する方法であって、
（i）プライマリ同期信号（Primary Synchronization Signal；ＰＳＳ）、（ii）セカンダリ同期信号（Secondary Synchronization Signal；ＳＳＳ）及び（iii）物理ブロードキャストチャネル（Physical Broadcasting CHannel；ＰＢＣＨ）を有する同期信号ブロック（Synchronization Signal Block；ＳＳＢ）を受信し、
（i）前記ＰＢＣＨを介して獲得される１ビット情報及び（ii）前記端末が動作する前記周波数帯域に基づいて、前記ＤＬ−ＣＣＨの副搬送波間隔を決定し、
前記副搬送波間隔に基づいて、前記ＤＬ−ＣＣＨを受信する、ことを有し、
第１の周波数領域内の前記周波数帯域に対して、前記副搬送波間隔は、前記１ビット情報に基づいて、第１の副搬送波間隔又は第２の副搬送波間隔の１つとして決定され、
第２の周波数領域内の前記周波数帯域に対して、前記副搬送波間隔は、前記１ビット情報に基づいて、第３の副搬送波間隔又は第４の副搬送波間隔の１つとして決定される、ＤＬ−ＣＣＨの受信方法。
【請求項２】
前記１ビット情報は、第１のバイナリ値又は第２のバイナリ値のいずれかであり、
前記第１のバイナリ値と等しい前記１ビット情報に対して、前記副搬送波間隔は、前記周波数帯域が前記第１の周波数領域内であるか又は前記第２の周波数領域内であるかによって、前記第１の副搬送波間隔又は前記第３の副搬送波間隔として決定され、
前記第２のバイナリ値と等しい前記１ビット情報に対して、前記副搬送波間隔は、前記周波数帯域が前記第１の周波数領域内であるか又は前記第２の周波数領域内であるかによって、前記第２の副搬送波間隔又は前記第４の副搬送波間隔として決定される、請求項１に記載のＤＬ−ＣＣＨの受信方法。
【請求項３】
前記第１の周波数領域内の前記周波数帯域に対して、前記副搬送波間隔は、前記１ビット情報に基づいて、６０ｋＨｚ又は１２０ｋＨｚの１つとして決定される、請求項１に記載のＤＬ−ＣＣＨの受信方法。
【請求項４】
前記第２の周波数領域内の前記周波数帯域に対して、前記副搬送波間隔は、前記１ビット情報に基づいて、１５ｋＨｚ又は３０ｋＨｚの１つとして決定される、請求項１に記載のＤＬ−ＣＣＨの受信方法。
【請求項５】
前記ＤＬ−ＣＣＨは、システム情報及び初期アクセスのためのＤＬメッセージのうちの少なくとも１つを搬送するよう構成される、請求項１に記載のＤＬ−ＣＣＨの受信方法。
【請求項６】
前記システム情報の副搬送波間隔は、前記初期アクセスのためのＤＬメッセージの副搬送波間隔と等しい、請求項５に記載のＤＬ−ＣＣＨの受信方法。
【請求項７】
無線通信システムにおいて、周波数帯域で下りリンク共通チャネル（DownLink Common CHannel；ＤＬ−ＣＣＨ）を受信するよう構成された端末であって、
トランシーバ（Transceiver）と、
少なくとも１つのプロセッサと、
前記少なくとも１つのプロセッサと動作可能に接続でき、指示を記憶する、少なくとも1つのコンピュータメモリと、を有し、
前記指示は、実行されたとき、前記少なくとも１つのプロセッサに、
前記トランシーバを介して、（i）プライマリ同期信号（Primary Synchronization Signal；ＰＳＳ）、（ii）セカンダリ同期信号（Secondary Synchronization Signal；ＳＳＳ）及び（iii）物理ブロードキャストチャネル（Physical Broadcasting CHannel；ＰＢＣＨ）を有する同期信号ブロック（Synchronization Signal Block；ＳＳＢ）を受信し、
（i）前記ＰＢＣＨを介して獲得される１ビット情報及び（ii）前記端末が動作する前記周波数帯域に基づいて、前記ＤＬ−ＣＣＨの副搬送波間隔を決定し、
前記トランシーバを介して、前記副搬送波間隔に基づいて、前記ＤＬ−ＣＣＨを受信する、ことを有する動作を行わせ、
第１の周波数領域内の前記周波数帯域に対して、前記副搬送波間隔は、前記１ビット情報に基づいて、第１の副搬送波間隔又は第２の副搬送波間隔の１つとして決定され、
第２の周波数領域内の前記周波数帯域に対して、前記副搬送波間隔は、前記１ビット情報に基づいて、第３の副搬送波間隔又は第４の副搬送波間隔の１つとして決定される、端末。
【請求項８】
前記１ビット情報は、第１のバイナリ値又は第２のバイナリ値のいずれかであり、
前記第１のバイナリ値と等しい前記１ビット情報に対して、前記副搬送波間隔は、前記周波数帯域が前記第１の周波数領域内であるか又は前記第２の周波数領域内であるかによって、前記第１の副搬送波間隔又は前記第３の副搬送波間隔として決定され、
前記第２のバイナリ値と等しい前記１ビット情報に対して、前記副搬送波間隔は、前記周波数帯域が前記第１の周波数領域内であるか又は前記第２の周波数領域内であるかによって、前記第２の副搬送波間隔又は前記第４の副搬送波間隔として決定される、請求項７に記載の端末。
【請求項９】
前記第１の周波数領域内の前記周波数帯域に対して、前記副搬送波間隔は、前記１ビット情報に基づいて、６０ｋＨｚ又は１２０ｋＨｚの１つとして決定される、請求項７に記載の端末。
【請求項１０】
前記第２の周波数領域内の前記周波数帯域に対して、前記副搬送波間隔は、前記１ビット情報に基づいて、１５ｋＨｚ又は３０ｋＨｚの１つとして決定される、請求項７に記載の端末。
【請求項１１】
前記ＤＬ−ＣＣＨは、システム情報及び初期アクセスのためのＤＬメッセージのうちの少なくとも１つを搬送するよう構成される、請求項７に記載の端末。
【請求項１２】
前記システム情報の副搬送波間隔は、前記初期アクセスのためのＤＬメッセージの副搬送波間隔と等しい、請求項１１に記載の端末。
【請求項１３】
無線通信システムにおいて、基地局が、周波数帯域で、端末に、下りリンク共通チャネル（DownLink Common CHannel；ＤＬ−ＣＣＨ）を送信する方法であって、
（i）プライマリ同期信号（Primary Synchronization Signal；ＰＳＳ）、（ii）セカンダリ同期信号（Secondary Synchronization Signal；ＳＳＳ）及び（iii）物理ブロードキャストチャネル（Physical Broadcasting CHannel；ＰＢＣＨ）を有する同期信号ブロック（Synchronization Signal Block；ＳＳＢ）を送信し、
（i）前記ＰＢＣＨを介して送信される１ビット情報及び（ii）前記端末が動作する前記周波数帯域に関連する副搬送波間隔に基づいて、前記ＤＬ−ＣＣＨを送信する、ことを有し、
第１の周波数領域内の前記周波数帯域に対して、前記副搬送波間隔は、前記１ビット情報に基づいて、第１の副搬送波間隔又は第２の副搬送波間隔の１つであり、
第２の周波数領域内の前記周波数帯域に対して、前記副搬送波間隔は、前記１ビット情報に基づいて、第３の副搬送波間隔又は第４の副搬送波間隔の１つである、ＤＬ−ＣＣＨの送信方法。
【請求項１４】
無線通信システムにおいて、周波数帯域で、端末に、下りリンク共通チャネル（DownLink Common CHannel；ＤＬ−ＣＣＨ）を送信するよう構成された基地局であって、
トランシーバ（Transceiver）と、
少なくとも１つのプロセッサと、
前記少なくとも１つのプロセッサと動作可能に接続でき、指示を記憶する、少なくとも1つのコンピュータメモリと、を有し、
前記指示は、実行されたとき、前記少なくとも１つのプロセッサに、
前記トランシーバを介して、（i）プライマリ同期信号（Primary Synchronization Signal；ＰＳＳ）、（ii）セカンダリ同期信号（Secondary Synchronization Signal；ＳＳＳ）及び（iii）物理ブロードキャストチャネル（Physical Broadcasting CHannel；ＰＢＣＨ）を有する同期信号ブロック（Synchronization Signal Block；ＳＳＢ）を送信し、
前記トランシーバを介して、（i）前記ＰＢＣＨを介して送信される１ビット情報及び（ii）前記端末が動作する前記周波数帯域に関連する副搬送波間隔に基づいて、前記ＤＬ−ＣＣＨを送信する、ことを有する動作を行わせ、
第１の周波数領域内の前記周波数帯域に対して、前記副搬送波間隔は、前記１ビット情報に基づいて、第１の副搬送波間隔又は第２の副搬送波間隔の１つであり、
第２の周波数領域内の前記周波数帯域に対して、前記副搬送波間隔は、前記１ビット情報に基づいて、第３の副搬送波間隔又は第４の副搬送波間隔の１つである、基地局。
【請求項１５】
前記ＤＬ−ＣＣＨによって搬送される前記システム情報は、残りの最小システム情報（Remaining Minimum System Information；ＲＭＳＩ）である、請求項５に記載のＤＬ−ＣＣＨの受信方法。
【請求項１６】
前記第１の周波数領域内の前記周波数帯域に対して、
前記副搬送波間隔は、第１のバイナリ値である前記１ビット情報に基づいて、前記第１の副搬送波間隔であり、
前記副搬送波間隔は、第２のバイナリ値である前記１ビット情報に基づいて、前記第２の副搬送波間隔であり、
前記第２の周波数領域内の前記周波数帯域に対して、
前記副搬送波間隔は、前記第１のバイナリ値である前記１ビット情報に基づいて、前記第３の副搬送波間隔であり、
前記副搬送波間隔は、前記第２のバイナリ値である前記１ビット情報に基づいて、前記第４の副搬送波間隔である、請求項１に記載のＤＬ−ＣＣＨの受信方法。
【請求項１７】
前記第１の周波数領域は、前記第２の周波数領域より高い周波数である、請求項１に記載のＤＬ−ＣＣＨの受信方法。
【請求項１８】
前記ＤＬ−ＣＣＨによって搬送される前記システム情報は、残りの最小システム情報（Remaining Minimum System Information；ＲＭＳＩ）である、請求項１１に記載の端末。
【請求項１９】
前記第１の周波数領域内の前記周波数帯域に対して、
前記副搬送波間隔は、第１のバイナリ値である前記１ビット情報に基づいて、前記第１の副搬送波間隔であり、
前記副搬送波間隔は、第２のバイナリ値である前記１ビット情報に基づいて、前記第２の副搬送波間隔であり、
前記第２の周波数領域内の前記周波数帯域に対して、
前記副搬送波間隔は、前記第１のバイナリ値である前記１ビット情報に基づいて、前記第３の副搬送波間隔であり、
前記副搬送波間隔は、前記第２のバイナリ値である前記１ビット情報に基づいて、前記第４の副搬送波間隔である、請求項７に記載の端末。
【請求項２０】
前記第１の周波数領域は、前記第２の周波数領域より高い周波数である、請求項７に記載の端末。